(57)【要約】【課題】耳たぶにピアシングした人がピアスとして、また、たとえピアシングしていない人が通常のイヤリングとして確実に装着できるピアス兼用イヤリングを提供する。【解決手段】弾撥バネ３を内蔵した箱枠体２の下枠板４の耳たぶ側の稜部５に平行な支軸６を箱枠体２内に設け、押圧状態の弾撥バネ３に当接する角柱体７を支軸６に取りつけ、角柱体７にピアスピン８を植設し、箱枠体２の上枠板９の耳たぶ表面１３側の稜部１０から湾曲して箱枠体２を覆って耳たぶ下端１５から回り込んで耳たぶ裏面１４に達する装飾金具１６を設け、装飾金具１６の端部にピアスピン８を挿通する挿通孔１９を有する耳たぶ押さえ具１８を回動自在に耳たぶ１２を常に押圧状態で弾性支軸２０により軸支したピアス兼用イヤリング１である。【選択図】　　　　図１
0003099242.tif 000002
【実用新案登録請求の範囲】
【請求項１】
箱枠体２の下枠板４の耳たぶ１２側の稜部５に稜部５と平行な支軸６を設け、支軸６に角柱体７を回動可能に軸支し、一方、箱枠体２内に弾撥バネ３を配設し、弾撥バネ３に押圧力を付与した状態で角柱体７を耳たぶ１２側から当接せしめ、耳たぶ１２に挿通するピアスピン８を箱枠体２から外方に突出状態で角柱体７に植設し、箱枠体２の上枠板９の耳たぶ表面１３側の稜部１０から耳たぶ１２と反対側に湾曲して箱枠体２を覆って下方に延び耳たぶ下端１５を回り込んで耳たぶ裏面１４に到って端部１７となる装飾金具１６を設け、耳たぶ裏面１４から後方に突出するピアスピン８を挿通するための挿通孔１９を有する耳たぶ押さえ具１８を装飾金具１６の端部１７に弾性支軸２０によりクリック回動状態で軸支し、耳たぶ１２を押圧挟持可能としたことを特徴とするピアス兼用イヤリング１。
【考案の詳細な説明】
【０００１】
【考案の属する技術分野】
本考案は、装飾用のピアスとして耳たぶへ取りつけることができ、あるいは、イヤリングとして耳たぶへ取りつけることができるなど、両用の機構を有するピアス兼用イヤリングに関する。
【０００２】
【従来の技術】
イヤリングあるいはピアスは装飾用として耳たぶに取りつける宝飾類である。ところで、通常イヤリングは取りつける耳たぶの表側に装飾具を配して耳たぶの裏側から耳たぶを挟持してピンの先端部をねじ押圧して取りつけるものが一般的である。一方、ピアスは耳たぶに開けたピアス孔に表側からピアスピンを挿通して表側に装飾具を配して耳たぶの裏側からピアスピンをねじ止めして取りつけるのが通常である。
【０００３】
ところで、ピアスもイヤリングも、両者ともに耳に付けて装飾するものであるから、その表側に宝飾などを配した装飾部は、ピアスとしてあるいはイヤリングとして、どちらにも使用可能なデザインのものが多い。ところでピアスの場合、耳たぶにピアスピンを通すピアス孔を予め開けていない人、すなわち、ピアシングをしていない人は、ピアスを装着することは出来ない。さらに、たとえピアス孔をピアシングしていても、その日の気分などにより、ピアスピンでピアス孔に挿通して取りつけるのではなく、イヤリングの取りつけ方法によりイヤリングとして耳たぶに取りつけたくなる場合がある。
【０００４】
このようなピアスにもイヤリングにも両用できるピアス兼用イヤリングが知られている（例えば、特許文献１参照。）。これは装飾部の上部に板状の耳当て部を有し、この耳当て部にピアスピンを通す孔を開口し、この開口部を狭幅の上側部分と下側部分と広幅の中間部分の連続孔とし、狭幅の部分と広幅の部分との境界部の幅をピアスピンが摺動によって移動できる程度のピンの径と同程度か又はピンの径よりやや大きく設計したものとし、ピアスとして使用するとき、狭幅の上側にピアスピンを挿通するものである。イヤリングとして使用するときは、下側部分に挿通して後方に突出しないようにしている。
【０００５】
【特許文献１】
特許第３３５９６０３号公報
【０００６】
【考案が解決しようとする課題】
本考案が解決しようとする課題は、耳たぶにピアス孔をピアシングした人がピアスとして装着することができ、また、たとえピアス孔をピアシングしていない人であっても通常のイヤリングとして装着することができ、かつ、その取りつけ状態が従来のものより一層確実で安全であるピアス兼用イヤリングを提供することである。
【０００７】
【課題を解決するための手段】
上記の課題を解決するための本考案の手段は、請求項１の考案では、箱枠体２の下枠板４の耳たぶ１２側の稜部５に稜部５と平行な支軸６を設け、支軸６に角柱体７を回動可能に軸支し、一方、箱枠体２内に弾撥バネ３を配設し、弾撥バネ３に押圧力を付与した状態で角柱体７を耳たぶ１２側から当接せしめ、耳たぶ１２に挿通するピアスピン８を箱枠体２から外方に突出状態で角柱体７に植設し、箱枠体２の上枠板９の耳たぶ表面１３側の稜部１０から耳たぶ１２と反対側に湾曲して箱枠体２を覆って下方に延び耳たぶ下端１５を回り込んで耳たぶ裏面１４に到って端部１７となる装飾金具１６を設け、耳たぶ裏面１４から後方に突出するピアスピン８を挿通するための挿通孔１９を有する耳たぶ押さえ具１８を装飾金具１６の端部１７に弾性支軸２０によりクリック回動状態で軸支し、耳たぶ１２を押圧挟持可能としたことを特徴とするピアス兼用イヤリング１である。
【０００８】
上記の作用を説明すると、単にピアスピンの径またはそれよりやや大きい程度に狭窄した部分でピアスピンを抑える従来技術に記載の特許文献１のものと異なり、本考案のピアス兼用イヤリング１は、箱枠体２内に弾撥バネ３を有し、この弾撥バネ３でピアスピン８を植設した角柱体７の一面を常時当接して押圧しているので、ピアスピン８を位置決めした位置に確実に動かないように保持することができる。その結果、ピアスとして使用するときは、ピアスピン８を後方に確実に延在させてその位置に固定するので、耳たぶ１２に極めて容易に挿着することができる。さらに、イヤリングとして使用するときも、ピアスピン８を下方に押し下げることで、ピアスピン８は弾撥バネ３に抗して装飾金具８内に収納され、ピアスピン８が一旦装飾金具８内に収納されると、角柱体７の側面が弾撥バネ３により押圧され続けることとなる。従って、ピアスピン８はぶらぶらと揺れることなく確実に装飾金具８内に固定される。その結果、装飾金具８内において、ピアスピン８の先端が耳たぶ１２に触れることがない状態で保持され続けるので、極めて安全である。
【０００９】
【考案の実施の形態】
本考案の実施の形態を図面を参照して説明する。図１は本考案のピアス兼用イヤリング１を耳たぶ１２に取りつけた状態を一部断面で示す模式図である。図２は本考案のピアス兼用イヤリング１の箱枠体２とその弾撥機構を説明する側面からみた断面図である。図３は本考案のピアス兼用イヤリング１の装飾金具１６の端部１７と耳たぶ押さえ具１８の機構の説明図である。図４は、図３のリング２３および弾性支軸２０を側面からみた断面図である。
【００１０】
図１に示すように、本考案のピアス兼用イヤリング１は、宝石２１などを表側に配設した装飾金具１６を有する。装飾金具１６の裏側には弾撥バネ３を内蔵した箱枠体２を設けている。箱枠体２には弾性バネ３抗して回動するピアスピン８が取りつけられている。ピアスとして使用するときは、このピアスピン８を耳たぶ１２のピアス孔２２に挿通し、イヤリングとして使用するときはピアスピン８を下方に回動して装飾金具１６内に収納しておく。一方、装飾金具１６の端部１７を耳たぶ１２の下側から耳たぶ裏面１４に回り込ませ、その先に耳たぶ押さえ具１８を弾性支軸２０で取りつけている。この弾性支軸２０の弾撥力により耳たぶ押さえ具１８を耳たぶ裏面１４から耳たぶ表面１３の箱枠体２の側に押圧して耳たぶ１２を挟持している。ピアスとして使用する時はピアスピン８を耳たぶ１２のピアス孔２２に通して耳たぶ押さえ具１８に開口した挿通孔１９に挿通して耳たぶ１２を挟持する。イヤリングとして使用する時はピアスピン８を下方に回動して装飾金具１６内に収納し、単に弾性支軸２０の弾撥力により耳たぶ押さえ具１８を耳たぶ裏面１４から耳たぶ表面１３の箱枠体２の側に押圧して耳たぶ１２を挟持する。
【００１１】
上記におけるピアスピン８の回動機構について説明する。図２に示すように、箱枠体２の下枠板４の耳たぶ側の稜部５にこの稜部５と平行な支軸６を箱枠体２内に設ける。一方、箱枠体２内にＶ字状の弾撥バネ３を逆Ｖ字状に内蔵させ、弾撥バネ３の端部３ａに押圧力を付与した状態で角柱体７の一面を当接状態させて支軸６により軸支し、角柱体７を支軸６により回動自在とする。さらに角柱体７には耳たぶ１２に挿通するピアスピン８を箱枠体２の外方に突出した状態で植設している。この箱枠体２の上枠板９の耳たぶ１３の側の稜部１０には上方に突出する短い突出片１１を立設し、この突出片１１の耳たぶ１３の側の裏面には、箱枠体２を覆う装飾金具１６を接合している。この装飾金具１６は稜部１０から耳たぶ１２と反対側に湾曲し、箱枠体２を外側から覆って下方に延び、さらに耳たぶ下端１５を回り込んで耳たぶ裏面１４に達し、箱枠体２の反対側の装飾金具１６の表面は装飾され、また宝飾などが設けられている。
【００１２】
この耳たぶ裏面１４の装飾金具１６の端部１７には弾性支軸２０により耳たぶ押さえ具１８が軸支されている。耳たぶ押さえ具１８は耳たぶ１２に当接するので柔らかなプラスチック材などからなるものとする。もちろん、金などの装飾金具１６と同一の材質とすることもできる。耳たぶ押さえ具１８は耳たぶ１２を挟持する方向に作用する力が弾性支軸２０により常時付与されている。例えば、耳たぶ押さえ具１８の根元からバネ線材を二股に延ばして左右の直角方向に折曲げて左右２本の横向きの弾性支軸２０とし、一方、装飾金具１６先端を二股としてそれぞれの股の先端を環状に曲成して離間対向したそれぞれ軸孔２４を有する左右のリング２３とし、この左右のリング２３の先端部の対向するリング２４の側に向いた先端部２５をそれぞれ僅か内側へ突起状の突出部２６として突出させ、上記の左右の２本の横向きの弾性支軸２０をそれぞれ装飾金具１６の先端の左右のリング２３の軸孔２４に挿通して弾撥的に軸支する。
【００１３】
従って、耳たぶ押さえ具１８は装飾金具１６の先端の端部１７で軸支されて回転可能であるが、耳たぶ押さえ具１８の回転時に弾性支軸２０が突出部２６のために弾撥力に抗して内側に寄せられることとなる。その結果、耳たぶ押さえ具１８は弾性支軸２０でリング２３の軸孔２４内をクリック状態で回転可能となり、この考案のピアス兼用イヤリング１は耳たぶ１２に耳たぶ裏面１３から押圧挟持する力が常に作用する状態になっている。
【００１４】
この考案のピアス兼用イヤリング１の使用方法を図１で用いて説明する。先ず、耳たぶにピアス孔２２を開けている人がピアス兼用イヤリング１をピアスとして使用する場合、耳たぶ押さえ具１８を弾性支軸２０を回転軸にして矢印２７の方向に倒して装飾金具１６内を開放し、ピアスピン８を後方に向けて耳たぶ１２のピアス孔２２に挿通した後、耳たぶ押さえ具１８を耳たぶ１２を耳たぶ裏面１３から押さえるように耳たぶ押さえ具１８を矢印２７と反対方向に回動させる。そして装飾金具１６の先端のリング２３の先端部２５の内側の突出部２６を弾性支軸２０の弾性に抗して乗り越えさせ、ピアスピン８の先端を耳たぶ押さえ具８の挿通孔１９に通して耳たぶ１２を耳たぶ裏面１３から挟持して取りつける。
【００１５】
次にピアス孔２２を耳たぶ１２にピアシングしていない人がピアス兼用イヤリング１をイヤリングとして使用する場合について説明する。先ず、ピアス兼用イヤリング１の耳たぶ押さえ具１８を弾性支軸２０を回転軸にして矢印２７の方向に倒して装飾金具１６内を開放する。次いで、ピアスピン８を倒して箱枠体２の下方に延ばす。ピアスピン８は角柱体８が弾撥バネ３でクリック作用により押されて下に倒れて確実に下方の耳たぶ１２の邪魔にならない位置に保持される。このような状態に、ピアス兼用イヤリング１を準備した後、耳たぶ１２を装飾金具１６内に挿入する。この場合、ビアスピン８は装飾金具１６内で下方に位置しているので上記のとおり耳たぶ１２を挿入する際に邪魔になることはない。次いで、耳たぶ押さえ具１８を矢印２７と反対方向に起こし、装飾金具１６の先端のリング２３の先端部２５の内側の突出部２６を耳たぶ押さえ具１８の弾性支軸２０でその弾撥力に抗して突出部２６を乗り越えさせることで、ビアスピン８を耳たぶ１２に挟持させて取りつける。
【００１６】
【考案の効果】
以上に説明したとおり、本考案のピアス兼用イヤリングは、ピアスピン自体がクリック機構により弾撥的に間欠回動でき、さらに耳たぶを挟持する耳たぶ押さえ具は常に挟持する力が働く。そこでピアシングしている人がピアスとして使用する場合には、ビアスピンを後方に立てピアス孔および耳たぶ押さえ具に挿通することで確実に、かつ、安全に装着でき、また、ピアシングをしていない人が使用する場合でも、ピアスピンを倒すことで耳たぶへの装着に邪魔になることなく、従来のイヤリングと同様に耳たぶ押さえ具により挟持して装着でき、装着が簡単でありながら容易に脱落することがなく、しかも安全である。従って、たとえピアシングをしている人の場合でも、その時の気分によりイヤリングとして安全に確実に装着できるなど、本考案は優れた効果を奏するものである。
【図面の簡単な説明】
【図１】本考案のピアス兼用イヤリングを耳たぶに取りつけた状態を一部断面で示す模式図である。
【図２】本考案のピアス兼用イヤリングの箱枠体とその弾撥機構を説明する側面からみた断面図である。
【図３】本考案のピアス兼用イヤリングの装飾金具端部と耳たぶ押さえ具の機構の説明図である。
【図４】図３のリングおよび弾性支軸を側面からみた断面図である。
【符号の説明】
１　ピアス兼用イヤリング
２　箱枠体
３　弾撥バネ
４　下枠板
５　稜部
６　支軸
７　角柱体
８　ピアスピン
９　上枠板
１０　稜部
１１　突出片
１２　耳たぶ
１３　耳たぶ表面
１４　耳たぶ裏面
１５　耳たぶ下端
１６　装飾金具
１７　端部
１８　耳たぶ押さえ具
１９　挿通孔
２０　弾性支軸
２１　宝石
２２　ピアス孔
２３　リング
２４　軸孔
２５　先端部
２６　突出部
２７　矢印
【図１】
0003099242.tif 000003
【図２】
0003099242.tif 000004
【図３】
0003099242.tif 000005
【図４】
0003099242.tif 000006